(57)【要約】【課題】背面の封止基板の裏面に発光パネルへの給電用端子を備えた有機ＥＬ発光パネルを提供すること。【解決手段】素子形成基板１上に形成された有機ＥＬ素子３を、前記素子形成基板に対峙する封止基板５との間で封止して有機ＥＬ発光パネルが形成される。  前記封止基板５は、絶縁性の素材により形成されると共に、両面に導電層１１ａ，１１ｂ，１２ａ，１２ｂが配置されて両面の導電層を導通するスルーホール１４が形成される。前記スルーホール１４内に導電性物質１５が充填されることで、前記有機ＥＬ素子の透明電極２が前記封止基板５の裏面側の導電層１２ａに接続される。【選択図】図２
2011142022.tif 000002
【特許請求の範囲】
【請求項１】
素子形成基板上に形成された有機ＥＬ素子を、前記素子形成基板に対峙する封止基板との間で封止した構成の有機ＥＬ発光パネルであって、
前記封止基板は、絶縁性の素材により形成されると共に、両面に導電層が配置されて両面の導電層を導通するスルーホールが形成されており、前記封止基板のスルーホール内に充填された導電性物質を介して、前記有機ＥＬ素子の一方の電極が前記封止基板の裏面側の導電層に接続されていることを特徴とする有機ＥＬ発光パネル。
【請求項２】
前記封止基板における表面および裏面側の導電層はそれぞれ複数に分離絶縁され、有機ＥＬ素子の前記一方の電極が接続された表面および裏面側の導電層に対して分離絶縁された他の表面および裏面側の導電層を導通するスルーホールが前記封止基板にさらに形成され、当該スルーホールを介して、前記有機ＥＬ素子の他方の電極が前記封止基板の裏面側の導電層に接続されていることを特徴とする請求項１に記載された有機ＥＬ発光パネル。
【請求項３】
素子形成基板上に形成された有機ＥＬ素子を、前記素子形成基板に対峙する封止基板との間で封止すると共に、前記有機ＥＬ素子と前記封止基板との間に熱伝導性物質を充填した構成の有機ＥＬ発光パネルであって、
前記封止基板は、絶縁性の素材により形成されると共に、両面に導電層が配置されて両面の導電層を導通するスルーホールが形成されており、前記封止基板のスルーホール内に充填された導電性物質を介して、前記有機ＥＬ素子の一方の電極が前記封止基板の裏面側の導電層に接続されていることを特徴とする有機ＥＬ発光パネル。
【請求項４】
前記封止基板における表面および裏面側の導電層はそれぞれ複数に分離絶縁され、有機ＥＬ素子の前記一方の電極が接続された表面および裏面側の導電層に対して分離絶縁された他の表面および裏面側の導電層を導通するスルーホールが前記封止基板にさらに形成され、当該スルーホール内に充填された導電性物質を介して、前記有機ＥＬ素子の他方の電極が前記封止基板の裏面側の導電層に接続されていることを特徴とする請求項３に記載された有機ＥＬ発光パネル。
【請求項５】
前記有機ＥＬ素子の一方の電極が、素子形成基板上に成膜された透明電極である請求項１または請求項３に記載された有機ＥＬ発光パネル。
【請求項６】
前記有機ＥＬ素子の他方の電極が、素子形成基板上に形成された有機ＥＬ素子の裏面側における前記封止基板側に対峙する対向電極である請求項２または請求項４に記載された有機ＥＬ発光パネル。
【発明の詳細な説明】
【技術分野】
【０００１】
この発明は、透明基板上に有機ＥＬ素子が形成されると共に、その有機ＥＬ素子を裏面から封止する封止基板を備えた有機ＥＬ発光パネルに関し、特に有機ＥＬ素子に給電するための給電端子を前記封止基板の裏面側に形成した有機ＥＬ発光パネルに関する。
【背景技術】
【０００２】
有機ＥＬ素子は低電圧の直流電源により駆動されることで高い発光効率を有し、軽量かつ薄型化が可能であることから、一部の携帯型機器などにおけるフラットパネルディスプレイ（ＦＰＤ）に利用されており、また同素子を面発光源として、例えば液晶表示素子のバックライトとして利用する形態のものも提供されている。
【０００３】
一方、有機ＥＬ素子は発光層に用いる素材の選択により、種々の発光色を得ることができ、したがって各発光色を単独で、または二種以上の発光色を組み合わせることにより、任意の発光色を得ることも可能となる。それ故、有機ＥＬ素子を比較的広い面積を有する面発光源（発光パネル）として構成することで、例えば電飾用光源の他、室内や車内等を照明する高効率な光源として利用することができる。
【０００４】
前記した有機ＥＬ素子は、発光層を介して対向する電極間に直流電圧が印加されることで、陰極側から注入された電子と、陽極側から注入されたホールが発光層内で再結合し、そのエネルギーが励起状態から基底状態へと変化する時に発光がなされる。このために、前記した発光層からの発光を外部に取り出す必要があり、したがって少なくとも一方の電極は透明電極が用いられる。この透明電極としては、通常においては酸化インジウムスズ（ＩＴＯ）などが用いられる。
【０００５】
前記した透明電極としてのＩＴＯは、一般的に前記透明基板（以下、素子形成基板とも言う。）側に成膜されるので、従来の有機ＥＬ発光パネルにおいては、この素子形成基板に対して面積の小さい封止基板が用意され、前記封止基板が重ね合わされない素子形成基板の端部に、透明電極からの電極引き出し部を形成する構成が採用されている。
【０００６】
図７はその一例を断面図で示したものであり、符号１は、例えばガラス素材による透明基板（以下、素子形成基板とも言う。）を示しており、この素子形成基板１上（図７においては下面）に、ＩＴＯ等の透明電極２が成膜されている。この透明電極２上には有機ＥＬ発光層３が成膜され、さらに有機ＥＬ発光層３上に、対向電極４が配置されて有機ＥＬ素子を構成している。
【０００７】
有機ＥＬ素子が形勢された前記素子形成基板１の背面には、素子形成基板１よりも面積の小さい封止基板５がシール剤としての接着剤６により貼り合わされ、これにより前記有機ＥＬ発光層３等を含む有機ＥＬ素子は、前記封止基板５によって封止される。
【０００８】
そして、前記封止基板５が重ね合わされない素子形成基板１の端部に至るように前記透明電極２が連続して成膜されており、素子形成基板１の端部に露出された前記透明電極２上に、符号７で示す銀ペーストやＡＣＦ等を利用して図示せぬ給電線を接続する電極引き出し部が形成されている。
【０００９】
すなわち、図７に示す構成においては、有機ＥＬ発光層３からの光は、透明電極２および素子形成基板１を介して、白抜きの矢印で示したように素子形成基板１の表面側に発光される。なお、図７に示した電極引き出し構造については、次に示す先行技術文献に開示されている。
【先行技術文献】
【特許文献】
【００１０】
【特許文献１】特開平１１−２６１５６号公報
【特許文献２】特開２００３−２７２８３２号公報
【発明の概要】
【発明が解決しようとする課題】
【００１１】
ところで、前記した有機ＥＬ発光パネルを照明用の発光パネルとして用いる場合には、前記したようにＩＴＯ等の電極膜上に給電線を接続した構成においては、給電線の取り扱いが厄介であり、施工等に際して発光パネルが扱い難い。すなわち、多数のＥＬ発光パネルを面状に隙間なく配列させる照明設備などの施工を考えた場合には、背面の封止基板の裏面に発光パネルへの給電用端子を備えた構成とすることが望ましい。
【００１２】
この発明は、前記した照明用の発光パネルの施工の利便性を考慮し、背面の封止基板の裏面に発光パネルへの給電用端子を備えた有機ＥＬ発光パネルを提供することを課題とするものである。
【課題を解決するための手段】
【００１３】
前記した課題を解決するためになされたこの発明にかかる有機ＥＬ発光パネルの好ましい第１の形態は、素子形成基板上に形成された有機ＥＬ素子を、前記素子形成基板に対峙する封止基板との間で封止した構成の有機ＥＬ発光パネルであって、前記封止基板は、絶縁性の素材により形成されると共に、両面に導電層が配置されて両面の導電層を導通するスルーホールが形成されており、前記封止基板のスルーホール内に充填された導電性物質を介して、前記有機ＥＬ素子の一方の電極が前記封止基板の裏面側の導電層に接続されたことを特徴とする。
【００１４】
この場合、前記構成に加えて前記封止基板における表面および裏面側の導電層はそれぞれ複数に分離絶縁され、有機ＥＬ素子の前記一方の電極が接続された表面および裏面側の導電層に対して分離絶縁された他の表面および裏面側の導電層を導通するスルーホールが前記封止基板にさらに形成され、当該スルーホールを介して、前記有機ＥＬ素子の他方の電極が前記封止基板の裏面側の導電層に接続された構成とすることが望ましい。
【００１５】
また、この発明にかかる有機ＥＬ発光パネルの好ましい第２の形態は、素子形成基板上に形成された有機ＥＬ素子を、前記素子形成基板に対峙する封止基板との間で封止すると共に、前記有機ＥＬ素子と前記封止基板との間に熱伝導性物質を充填した構成の有機ＥＬ発光パネルであって、前記封止基板は、絶縁性の素材により形成されると共に、両面に導電層が配置されて両面の導電層を導通するスルーホールが形成されており、前記封止基板のスルーホール内に充填された導電性物質を介して、前記有機ＥＬ素子の一方の電極が前記封止基板の裏面側の導電層に接続されていることを特徴とする。
【００１６】
この場合、前記構成に加えて前記封止基板における表面および裏面側の導電層はそれぞれ複数に分離絶縁され、有機ＥＬ素子の前記一方の電極が接続された表面および裏面側の導電層に対して分離絶縁された他の表面および裏面側の導電層を導通するスルーホールが前記封止基板にさらに形成され、当該スルーホール内に充填された導電性物質を介して、前記有機ＥＬ素子の他方の電極が前記封止基板の裏面側の導電層に接続された構成とすることが望ましい。
【００１７】
そして、前記有機ＥＬ素子の一方の電極は、素子形成基板上に成膜された透明電極であり、前記有機ＥＬ素子の他方の電極は、素子形成基板上に形成された有機ＥＬ素子の裏面側における前記封止基板側に対峙する対向電極になされる。
【発明の効果】
【００１８】
前記した構成の有機ＥＬ発光パネルによると、素子形成基板に形成された有機ＥＬ素子の裏面に対峙する封止基板にスルーホールが形成され、このスルーホールを利用して有機ＥＬ素子の電極が封止基板の裏面側の導電層に接続された構成にされる。したがって、封止基板の裏面側から有機ＥＬ素子に給電を行うことができるので、有機ＥＬ発光パネルを照明用の光源として施工する場合において、その取り扱いが容易である。
【００１９】
また前記した構成による有機ＥＬ発光パネルは、同一寸法の素子形成基板と封止基板とを貼り合わせることで形成することができるので、機械的な強度も確保することができるなど、品質が安定した発光パネルを提供することができる。
【図面の簡単な説明】
【００２０】
【図１】有機ＥＬ発光パネルにおける一方の電極への給電用端子構造を示した第１の実施形態の部分断面図である。
【図２】図１に示す構成においてスルーホール内に導電性物質を充填した状態を示す部分断面図である。
【図３】有機ＥＬ発光パネルにおける他方の電極への給電用端子構造を示した第１の実施形態の部分断面図である。
【図４】封止基板を裏面側から視た状態の平面図である。
【図５】有機ＥＬ発光パネルにおける一方の電極への給電用端子構造を示した第２の実施形態の部分断面図である。
【図６】有機ＥＬ発光パネルにおける他方の電極への給電用端子構造を示した第２の実施形態の部分断面図である。
【図７】従来の有機ＥＬ発光パネルにおける給電用端子構造の一例を示した部分断面図である。
【発明を実施するための形態】
【００２１】
以下、この発明にかかる有機ＥＬ発光パネルについて、図に示す実施の形態に基づいて説明する。なお、以下に説明するこの発明にかかる実施の形態においては、すでに説明した図７に示した各部と同一の機能を果たす部分を同一符号で示しており、したがって、その詳細な説明は適宜省略する。
【００２２】
図１ないし図４は有機ＥＬ発光パネルの第１の実施の形態を示すものであり、図１に示す構成は、封止基板５を裏面側から視た状態を示す図４において、Ａ−Ａ線より矢印方向に視た状態の部分拡大断面図である。この図１に示す構成においては、封止基板５として、例えばガラス繊維製のクロスを重ねたものにエポキシ樹脂を含浸させた絶縁性のガラスエポキシ基板が利用され、その両面には銅箔等の導電層１１ａ，１１ｂ，１２ａ，１２ｂがそれそれ形成されたいわゆる両面銅箔基板が用いられている。
【００２３】
そして、この実施の形態においては、前記封止基板５は素子形成基板１とほぼ同一寸法の矩形状に形成されており、素子形成基板１上に形成された有機ＥＬ発光層３等を含む有機ＥＬ素子が、前記両基板１，５の間でシール剤としての接着剤６により封止された構造になされている。
【００２４】
前記封止基板５は、図４に裏面側から視た平面図で示すように、左右に導電層１２ａが形成され、左右の導電層１２ａにより挟まれた中央部に導電層１２ｂが形成されている。なお、左右の導電層１２ａと中央の導電層１２ｂとは、周知のエッチング処理などによる銅箔の除去部１２ｃにより、島状に分離絶縁されている。
【００２５】
これは図４に示す封止基板５における反対面、すなわち素子形成基板１に対峙する面も同様になされており、図１に示すように導電層１１ａ，１１ｂは、銅箔の除去部１１ｃにより、分離絶縁されている。
【００２６】
加えて、前記封止基板５における左右の導電層１２ａの形成位置には、スルーホール形成用の複数の孔５ａが形成され、前記封止基板５における中央の導電層１２ｂにおける上下の対向位置にも、スルーホール形成用の複数の孔５ｂが穿設されている。
【００２７】
前記封止基板５における左右の導電層１２ａの形成位置に穿設されたスルーホール形成用の孔５ａには、図１に拡大断面図で示されたように、表裏の導電層１１ａおよび１２ａに跨がって導通されるようにメッキによるスルーホール１４が形成される。
【００２８】
そして、図２に示すように前記スルーホール１４内には、例えば銀ペースト、あるいは超音波溶融によるハンダなどの導電性物質１５が充填される。これにより導電性物質１５は、素子形成基板１の裏面に成膜された一方の電極、すなわちＩＴＯ等による透明電極２に接合され、この透明電極２は、前記封止基板の裏面側の導電層１２ａに接続された構成になされる。
【００２９】
この構成により、有機ＥＬ素子の前記透明電極２への接続端子が、封止基板５の裏面側の導電層１２ａに形成されることになる。
【００３０】
なお、スルーホール１４内への導電性物質１５の充填による前記した接続構成は、図４に示されているように、封止基板５における左右の導電層１２ａ上において、符号５ａで示すように複数か所で形成されることになる。特にこの実施の形態のように、封止基板５の左右の導電層１２ａにそれぞれ複数の接続部を形成して、それぞれに例えば同一レベルの陽極電圧（＋）を加えることで、透明電極を構成するＩＴＯ等の高い電気抵抗率に起因して発生する発光輝度のむら（輝度傾斜）を、効果的に抑制させることができる。
【００３１】
次に図３に示す構成は、封止基板５を裏面側から視た状態を示す図４において、Ｂ−Ｂ線より矢印方向に視た状態の部分拡大断面図であり、これは有機ＥＬ素子の他方の電極、すなわち対向電極４の接続構造を示すものである。
【００３２】
これには、図４に示した封止基板５の中央の導電層１２ｂにおける上下の対向位置に形成されたスルーホール形成用の孔５ｂが利用される。すなわち、スルーホール形成用の孔５ｂには、図３に拡大断面図で示されたように、表裏の導電層１１ｂおよび１２ｂに跨がって導通されるようにメッキによるスルーホール１７が形成される。これにより、表裏の導電層１１ｂおよび１２ｂは、前記スルーホール１７により導通接続される。
【００３３】
一方、図３に示す構成においては、封止基板５の有機ＥＬ素子に対峙する面に形成された導電層１１ｂは、有機ＥＬ素子の対向電極４に面接触している。したがって、有機ＥＬ素子の対向電極４は、導電層１１ｂ、およびスルーホール１７を介して、封止基板５の裏面側に形成された導電層１２ｂに接続される。
【００３４】
この構成により、有機ＥＬ素子の前記対向電極４への接続端子が、封止基板５の裏面側の導電層１２ｂに形成されることになり、この実施の形態においては、導電層１２ｂに陰極電圧（−）が加えられる。
【００３５】
なお、前記した封止基板５に施されるスルーホール形成用の孔は、丸孔に限らず、図４に示す封止基板５の下辺部に形成された符号５ｂで示す楕円形、もしくは他の形状になされていても良い。
【００３６】
次に、図５および図６は、有機ＥＬ発光パネルの第２の実施の形態を示すものであり、この第２の実施の形態においても、図４に示した構成の封止基板５が用いられている。すなわち図５に示す構成は、封止基板５を裏面側から視た状態を示す図４において、Ａ−Ａ線より矢印方向に視た状態の部分拡大断面図であり、図６に示す構成は図４において、Ｂ−Ｂ線より矢印方向に視た状態の部分拡大断面図である。
【００３７】
この第２の実施の形態においては、素子形成基板上に形成された有機ＥＬ素子と封止基板との間に、熱伝導性物質８として絶縁性のグリース状もしくはゲル状物質を充填した構成にされている。この構成によると有機ＥＬ素子による発熱を、前記熱伝導性物質が効果的に熱伝導することで、有機ＥＬ発光パネルの放熱ならびに均熱効果を促進させることに寄与できる。
【００３８】
そして、図５に示す素子形成基板１上に成膜された一方の電極（透明電極）２への給電用端子の構造は、図２に示した例と同様に、封止基板５における表裏の導電層１１ａおよび１２ａに跨がって形成されたスルーホール１４が利用され、当該スルーホール１４内に導電性物質１５が充填されることで形成される。
【００３９】
これにより導電性物質１５は、素子形成基板１の裏面に成膜されたＩＴＯ等による透明電極２に接合され、この透明電極２は前記封止基板５の裏面側の導電層１２ａに接続された構成になされる。この構成により、有機ＥＬ素子の前記透明電極２への接続端子が、封止基板５の裏面側の導電層１２ａに形成されることになる。
【００４０】
一方、図６に示す有機ＥＬ素子の他方の電極、すなわち対向電極４への給電用端子の構造においては、ＩＴＯ等による透明電極２が、一部において島状に分離されて形成されている。すなわち図６に示すように素子形成基板１には、予め絶縁性物質による隔壁９が形成されており、この状態で透明電極２が成膜されるので、前記透明電極２の成膜と同時に当該透明電極２とは絶縁分離された導電膜２ａを素子形成基板１の一部に形成することができる。
【００４１】
そして、対向電極４の成膜時において、前記対向電極４の一部が前記導電膜２ａに重畳されるように形成することで、対向電極４が導電膜２ａに符号Ｃで示す位置で導電接触される。
【００４２】
前記した構成において、封止基板５における表裏の導電層１１ｂおよび１２ｂに跨がって形成されたスルーホール１４内に導電性物質１５が充填されることで、導電性物質１５および導電膜２ａを介して対向電極４が封止基板５の裏面側の導電層１２ｂに接続された構成になされる。この構成により、有機ＥＬ素子の前記対向電極４への接続端子が、封止基板５の裏面側の導電層１２ｂに形成されることになる。
【００４３】
なお、図６に示す実施の形態においては、ＩＴＯ等による透明電極２を素子形成基板１に成膜する際に、同時に絶縁隔壁９を介して導電膜２ａを形成するようにしているが、この導電膜２ａは、透明電極２の成膜とは別の工程において、かつ透明電極２とは別材料によって形成するようにしても良い。
【００４４】
以上のとおり、前記した構成の有機ＥＬ発光パネルによると、背面の封止基板５の裏面に、当該封止基板に形成されたスルーホールを介して、発光パネルへの給電用端子として機能する導電層１２ａ，１２ｂが形成されるので、前記した発明の効果の欄に記載したとおりの独自の作用効果を得ることができる。
【符号の説明】
【００４５】
１              素子形成基板
２              透明電極（一方の電極）
２ａ            導電膜
３              有機ＥＬ発光層
４              対向電極（他方の電極）
５              封止基板
５ａ，５ｂ      スルーホール形成用の孔
６              シール剤（接着剤）
８              熱伝導物質
９              絶縁隔壁
１１ａ，１１ｂ  導電層
１２ａ，１２ｂ  導電層
１１ｃ，１２ｃ  銅箔除去部
１４            スルーホール
１５            導電性物質
１７            スルーホール
Ｃ              導電接触部
【図１】
2011142022.tif 000003
【図２】
2011142022.tif 000004
【図３】
2011142022.tif 000005
【図４】
2011142022.tif 000006
【図５】
2011142022.tif 000007
【図６】
2011142022.tif 000008
【図７】
2011142022.tif 000009